(57)【特許請求の範囲】
【請求項１】
ハンドル操作で連動回転するロータに支持部材を反転可能に支持し、この支持部材に、釣糸を案内するベールを設けた魚釣用リールであって、
前記支持部材が熱可塑性エラストマー樹脂材で成形されていることを特徴とする魚釣用リール。
【請求項２】
前記支持部材が、高比重金属粉を混練した熱可塑性エラストマー樹脂材で成形されていることを特徴とする請求項1に記載の魚釣用リール。
【発明の詳細な説明】
【技術分野】
【０００１】
本発明は、魚釣用リールに関し、特に、ハンドル操作で連動回転するロータを備えた魚釣用リールに関する。
【背景技術】
【０００２】
例えば、スピニングリールの場合には、ハンドルを回転操作することにより、リール本体に支持されたロータが回転し、このロータに設けられた釣糸案内部を介して、スプール上に釣糸が巻き上げられる。通常、このようなロータに取付けられる釣糸案内部は、ロータアーム部の先端部に反転可能に支持される一対の支持部材と、この一対の支持部材間に取付けられる半環状構造のベールと、一方の支持部材に設けられるラインローラ等から形成され、ロータと共に回転する。
【０００３】
この釣糸案内部は高速で回転するロータに取付けられるため、回転バランス機能を有する形態や重量配分を考慮した設計が要求される。このため、一般的には、ラインローラと反対側の支持部材に、ラインローラとの重量バランスを図る高比重の金属材料（例えば鉄系合金、亜鉛、銅合金等）が使用されており、このような高比重の金属材料を用いることによる成形性、製造コスト、小型化、耐食性の面から、改善すべき種々の課題が残されている。  
このため、釣糸案内部の支持部材に、高比重金属粉末を樹脂に混練して比重を高めた複合材料を使用したものが開発されている（例えば特許文献１参照）。
【特許文献１】特開２００１−２６９０９２
【発明の開示】
【発明が解決しようとする課題】
【０００４】
しかし、樹脂に高比重金属粉末を混連した従来の複合材料あるいは高比重樹脂は、硬く、耐衝撃性が低いため、ベールを装着する支持部材等の外装部品に使用すると、例えば釣場等で、この魚釣用リールを落下させ、あるいは他物と衝突した場合等に、破損する虞がある。また、柔軟性がないため、半環状の金属製ベールがその加工段階や移送中に変形してしまった場合には、ロータアーム部に容易に組込むことはできない。変形した金属製ベールを本来の形状に矯正しながら組込むことは可能であるとしても、この場合には、釣糸巻取状態と釣糸放出状態との間における支持部材の作動が重くなり、例えば、ロータを釣糸巻取方向に回転する際、釣糸放出状態から釣糸巻取状態への支持部材の反転動作が確実に行われなくなる等、反転復帰動作時に支障を来たす虞がある。
【０００５】
本発明は、このような事情に基いてなされたもので、外力が作用しても容易に破損することがなく、また、これに設けられるベールが変形した場合でも、このベールを容易に設けることができる魚釣用リールを提供することを目的とする。
【課題を解決するための手段】
【０００６】
上記課題を解決する本発明の魚釣用リールは、ハンドル操作で連動回転するロータに支持部材を反転可能に支持し、この支持部材に、釣糸を案内するベールを設けた魚釣用リールであって、前記支持部材が熱可塑性エラストマー樹脂材で成形されていることを特徴とする。
【０００７】
前記支持部材は、高比重金属粉を混練した熱可塑性エラストマー樹脂材で成形されていることが好ましい。
【発明の効果】
【０００９】
ベールを設けられる支持部材が熱可塑性エラストマー樹脂材で成形される魚釣用リールでは、この支持部材が柔軟性を有することにより、釣場等で誤って外力が作用した場合でも、支持部材はその外力に応じてゴム状に弾性変形し、破損を防止することができる。また、半環状の金属製ベールが加工段階あるいは移送時に変形した場合においても、ロータアーム部に容易に組み込むことができると共に円滑な反転動作を確保することができる。
【００１０】
この支持部材が高比重金属粉を混練した熱可塑性エラストマー樹脂材で成形されている場合には、支持部材の柔軟部材としての機能維持を図りながら、重量バランスを図ることができ、支持部材の機能を合理的に向上させることができる。
【発明を実施するための最良の形態】
【００１２】
図１および図２は、本発明の好ましい実施形態による魚釣用リールを示す。  
本実施形態の魚釣用リールは、スピニングリール１０として形成してあり、種々の部材を収容する収容空間を形成したリール本体１２を備える。このリール本体１２は、前部に鍔部１２ａを有し、上方に延びる脚部１４の端部に形成された竿取付部１４ａを介して釣竿に取付けられる。このリール本体１２の前方には、回転可能なロータ１６と、ロータ１６の回転運動に同期して前後動可能なスプール１８とが設けられており、鍔部１２ａが、ロータ１６の後方に開口する開口部内に収容される。
【００１３】
リール本体１２には、収容空間内を横方向に延びるハンドル軸１６が回転可能に支持されており、このリール本体１２から突出した端部にはハンドル２０が取り付けられている。また、リール本体１２の収容空間内には、ハンドル軸１６に取付けられた駆動ギヤ（図示しない）が配置されており、この駆動ギヤが、ハンドル軸１６と直交する方向に延出する円筒状構造のピニオン（図示しない）に噛合する。このピニオン内には、往復動可能にスプール軸（図示しない）が挿通されている。このスプール軸の後端に、上述の駆動ギヤで作動されるオシレーティング機構（図示しない）が連結され、先端に取付けられたスプール１８を軸方向に沿って往復動することができる。
【００１４】
ロータ１６のほぼ径方向に対向した部位には、ロータアームである第１，第２支持アーム２２ａ，２２ｂが設けられており、各支持アーム２２ａ，２２ｂの前端部には、ベール２３の端部を先端部に取付けた第１，第２支持部材２４ａ，２４ｂの基端部が回動自在に支持されている。本実施形態では、第１支持アーム２２Ａ内に配置された通常の振り分け機構（図示しない）により、これらの第１，第２支持部材２４ａ，２４ｂが釣糸巻取位置と釣糸放出位置との一方に保持され、他方に向けて反転させることができる。なお、ベール２３の一方の端部は、第１支持部材２４ａの先端部に一体的に設けられかつラインローラ２５を回転自在に支えたガイド部２６に取り付けられている。
【００１５】
スプール１８は、実際に釣糸が巻回される巻回胴部１８ａと、巻回された釣糸の前側を規制する前鍔部１８ｂと、釣糸の後側を規制すると共にロータ１６の前部を覆う後側筒部１８ｃとを備えており、スプール軸の先端に、ドラグノブ２８を介して取り付けられている。
【００１６】
この魚釣用スピニングリール１０は、ハンドル２０を巻き取り操作すると、ロータ１６がリール本体１２内に配置された駆動ギヤおよびピニオンを介して回転駆動され、スプール１８がオシレート機構２６を介して往復動されるスプール軸により、ロータ１６の回転と同期して前後に移動する。釣糸は、ガイド部２６のラインローラ２５を介して、スプール１８の巻回胴部１８ａに均等に巻回される。また、釣糸の放出（仕掛けの投擲）は、支持部材２４ａ，２４ｂおよびベール２３を、図１および図２に示す釣糸巻取位置から、釣糸放出位置の前方側に反転操作して、釣糸をラインローラ２５及びガイド部２６から外した状態とし、釣竿を振り下ろすことで行うことができる。
【００１７】
第１支持アーム２２ｂ内には、第１，第２支持部材２４ａ，２４ｂを図示の釣糸巻取位置と、図示しない釣糸放出位置との一方に保持する振分け機構（図示しない）が配置してある。このため、ベール２３と共に第１，第２支持部材２４ａ，２４ｂを、図示の釣糸巻取位置から図示しない釣糸放出位置に反転操作すると、第１支持アーム２２ｂ内の振り分け機構は、この振分け機構の一部を形成するバネ力の作用方向が中立状態となるデッドポイントを超えて移動され、第１，第２支持部材２４ａ，２４ｂをその釣糸放出位置に保持する。逆に、釣糸放出位置から、ベール２３および第１，第２支持部材２４ａ，２４ｂを押圧して図示の釣糸巻取位置に反転させると、振り分け機構がデッドポイントを超えて移動され、第１，第２支持部材２４ａ，２４ｂをベール２３と共に、図示の釣糸巻取位置に復帰させる。したがって、第１，第２支持部材２４ａ，２４ｂは、図１および図２に示す釣糸巻取位置および図示しない釣糸放出位置のいずれの位置においても反転自在に保持される。
【００１８】
図１に示すように、本実施形態では、第２支持部材２４ｂの基端部を回動可能に支持する第２支持アーム２２ｂ内に、ハンドル２０の巻取操作に連動して第１，第２支持部材２４ａ，２４ｂをベール２３と共に釣糸放出位置から図１および図２に示す釣糸巻取位置へ自動復帰させる反転復帰機構３０を配設してある。
【００１９】
この反転復帰機構３０は、第２支持部材２４ｂと係合し、第２支持アーム２２ｂにその長手方向に沿って形成されたガイド溝３２内を長手方向に沿って移動可能な作動部材３４を備えている。この作動部材３４は、直線状の軸部３４ａと、この軸部３４ａの後端すなわちリール本体１２側の端部で図１の紙面の裏面から突出する方向であるリール本体１２の内方に向けて、ほぼ垂直方向に延出する円柱状の第１係合部３４ｂ（図２参照）と、軸部３４ａの先端部を第１係合部３４ｂと反対方向すなわち図１の紙面の表面から突出する方向に向けてほぼ垂直方向に僅かに延出する第２係合部３４ｃ（図１参照）とを有する。本実施形態では、第１係合部３４ｂは、リール本体１２側でガイド溝３２の端部に形成された長穴３６から第２支持アーム２２ｂの外部に突出し、リール本体１２の前部の鍔部１２ａに設けられた反転用切換部材３８に当接することができる。
【００２０】
なお、これらの第１，第２係合部３４ｂ，３４ｃは、上述のように作動部材３４の軸部３４ａの各端部を屈曲させた一体構造に限らず、後述するように第２支持部材２４ｂと連動するものであれば、適宜の構造に形成することができる。例えば、第１係合部３４ｂを上述のように軸部３４ａの端部を屈曲させた円柱状構造に代えて、このような屈曲構造とすることなく、軸部３４ａの端部に形成してもよい。この場合は、作動部材３４の端部の少なくとも第１係合部３４ｂが反転用切換部材３８に当接可能な位置に配置する。
【００２１】
この第１係合部３４ｂが挿通される長穴３６は、少なくとも作動部材３４のストローク分の長さを有する。すなわち、第２支持部材２４ｂが釣糸放出位置にあるときに作動部材３４の第１係合部３４ｂが、リール本体１２の鍔部１２ａの前面に設けた反転用切換部材３８に係合することのできる近接位置と、第２支持部材２４ｂが図１および図２に示す釣糸巻取位置にあるときにこの第１係合部３４ｂが反転切換部材３８と当接あるいは干渉しない離隔位置との間で、作動部材３４が移動するのを可能とする。
【００２２】
一方、作動部材３４の第２係合部３４ｃは、第２支持部材２４ｂの基端部に形成した円弧状の開口部４０に挿通される。この円弧状の開口部４０は、第２支持部材２４ｂの基端部を回転自在に支える第２支持アーム２２ｂの円筒状支持軸４２と同軸状に形成してある。この円弧状開口部４０の両端部には、第２支持部材２４ｂが釣糸放出位置にあるときに、作動部材３４の第２係合部３４ｃを押圧して第１係合部３４ｂを上述の近接位置に配置する押圧面４０ａと、第２支持部材２４ｂが図１および図２に示す釣糸巻取位置にあるときに、第２係合部３４ｃを引上げて第１係合部３４ｂを上述の離隔位置に配置する引上面４０ｂとが、半径方向すなわち支持軸４２の中心に向かって延びる。この引上面４０ｂは、作動部材３４の第１係合部３４ｂが反転用切換部材３８の頂部に係合し、かつ上述の振り分け機構がデッドポイント位置を超えたときに、作動部材３４の第２係合部３４ｃと係合する位置および寸法に設定されている。
【００２３】
図１に示すように、作動部材３４の第１係合部３４ｂが係合する反転用切換部材３８は、リール本体１２の鍔部１２ａの前側で、ロータ１６が回転するときの作動部材３４の移動路に沿う周方向に高低差を形成しており、本実施形態では、周方向の両側に、一方側から当接する作動部材３４の第１係合部３４ｂが他方側へと反転用切換部材３８を乗り越えられるように、傾斜面を周方向に沿う両側に配置した構造を備える。これにより、ベール２３および第１，第２支持部材２４ａ，２４ｂが釣糸放出位置にあるときに、ハンドル２０を介してロータ１６を回転すると、反転用切換部材３８が近接位置にある作動部材３４の第１係合部３４ｂを前方に押圧する。第２支持部材２４ｂに形成された開口部４０の押圧面４０ａがこの作動部材の第２係合部３４ｃで押圧され、第２支持部材２４ｂおよびベール２３を図１および図２に示す釣糸巻取位置に移動され、第１支持部材２４ａに設けられた振り分け機構により、この釣糸巻取位置に保持される。
【００２４】
また、作動部材３４の第２係合部３４ｃに係合する円弧状の開口部４０を形成した第２支持部材２４ｂは、熱可塑性エラストマー樹脂材で成形されている。  
この支持部材２４ｂを形成する熱可塑性エラストマー樹脂材は、オレフィン系エラストマーの他に、ウレタンエラストマー、ポリエステルエラストマー、ポリスチレンエラストマー等をベース樹脂として用いることができ、使用されるリールの釣種やサイズ等、例えば重さ、硬度、柔軟性等の要求される品質に合わせてベースとなるエラストマー樹脂材は適宜選定される。
【００２５】
このように、第２支持部材２４ｂを熱可塑性エラストマー樹脂材で形成することにより、この第２支持部材２４ｂを例えば射出成形で任意の形状に形成することができる。この熱可塑性エラストマー樹脂で形成された第２支持部材２４ｂは、ゴム状の柔軟性および弾性を有するため、例えば釣場で岩等の他物に衝突した場合のように、誤って大きな外力が作用しても、図２に二点鎖線で示すように弾性変形することができ、従来の硬く、耐衝撃性が低い樹脂を用いた支持部材のように、割れあるいは破損することがなく、その衝撃を吸収することができる。
【００２６】
また、円弧状あるいは半環状構造のベール２３が、加工する際や運搬時等に設計形状と異なる形状に変形してしまった場合でも、この第２支持部材２４ｂの柔軟性を利用して第１，第２支持アーム２２ａ，２２ｂのそれぞれに容易に組み込むことができる。熱可塑性エラストマー樹脂で形成された第２支持部材２４ｂは、その柔軟性により、ベール２３の変形を吸収することができるため、第１，第２支持アーム２２ａ，２２ｂのそれぞれのロータアームと第１，第２支持部材２４ａ，２４ｂとの間に、ベール２３の変形による応力が生じることがなく、ベール２３および第１，第２支持部材２４ａ，２４ｂの反転動作を滑らかに行うことができる。
【００２７】
上述の熱可塑性エラストマー樹脂材に、例えば比重１１．９のタングステン等の比重７以上であるのが好ましい高比重金属粉を混練することで、第２支持部材２４ｂに重量バランス機能を持たせることもできる。このベース樹脂としての熱可塑性エラストマー樹脂材と、高比重金属粉とを混練する際の双方の割合（体積比）は、第２支持部材２４ｂに必要とされる重量バランス補正機能や強度、硬度、柔軟性等の品質のバランス、あるいは大きさ等を考慮して適宜設定される。例えば、第２支持部材２４ｂをこのような高比重金属粉を混練した熱可塑性エラストマー樹脂材で形成する場合は、ラインローラ２５およびガイド部２６を含む第１支持部材２４ａの重さと重量バランスさせるために、第１，第２支持部材２４ａ，２４ｂの重量およびロータ１８の回転中心軸からの距離等を考慮した要求品質によって設定する。
【００２８】
このような、高比重金属粉を混練した熱可塑性エラストマー樹脂材は、ベール２３を支える第２支持部材２４ｂ以外にも、リール本体１２の外部に突出する状態で装着される回転可能な部材とこの回転可能な部材に装着される部材との少なくとも一方の成形に用い、この部材の外力からの保護と回転バランスの維持との両機能を１つの部材で発揮させることができる。例えば第１，第２支持アーム２２ａ，２２ｂ装着される外装部品としてのカバー部材や、特に、両軸リール等に使用されるハンドルアームのハンドルノブと反対側に装着されるバランサー等に用いることにより、これらの両機能を効率よく発揮させることができる。
【００２９】
いずれの場合も、高比重金属粉として、タングステン以外の、例えば比重が７以上の鉄、鉄合金、銅、銅合金等を使用することもできる。金属粉の比重を７以上とすることにより、重量バランス補正を高効率に実現することができる。
【００３０】
なお、上述の実施形態では、スピニングリール１０について説明してきたが、両軸リール等回転可能な部材が外部に露出している釣用具にも用いることが可能である。
【図面の簡単な説明】
【００３１】
【図１】本発明の好ましい実施形態によるスピニングリールの側面図。
【図２】図１のスピニングリールの正面図。
【符号の説明】
【００３２】
１０…スピニングリール、１６…ロータ、２０…ハンドル、２４ａ，２４ｂ…支持部材。
【図１】
0004486578.tif 000002
【図２】
0004486578.tif 000003